(57)【特許請求の範囲】
【請求項１】
光を発する光源と、
前記光源の破損を機械的に検出する破損検出手段と、
前記破損検出手段の検出結果に基づき、装置の状態を所定の緊急避難的防護状態へと変化させる緊急制御を行う状態制御手段と
を備え、
前記破損検出手段は、
前記光源の破損により破断する被破壊部材と、
前記光源の破損による音を拾うマイクと、
前記被破壊部材の破断および前記マイクで拾われた音により前記光源の破損を検出し、前記状態制御手段の緊急制御を開始させる検出回路と
を有する光源装置。
【請求項２】
前記被破壊部材は、前記光源の近傍に張架された導電性ワイヤからなる請求項１に記載の光源装置。
【請求項３】
さらに、前記光源を冷却する冷却ファンを備え、
前記状態制御手段が行う緊急制御が、少なくとも前記冷却ファンの動作を停止させる制御を含む
請求項１に記載の光源装置。
【請求項４】
さらに、
前記冷却ファンの回転を制動する冷却ファン制動回路を備え、
前記冷却ファンの動作を停止させる制御が、前記冷却ファンへの電力供給を停止させる制御と、前記冷却ファン制動回路により前記冷却ファンの回転を強制的に制動する制御とを含む
請求項３に記載の光源装置。
【請求項５】
さらに、
前記光源により熱せられた空気を装置外に排出するための熱排気窓と、
前記熱排気窓を開閉させるシャッタ装置と
を備え、
前記状態制御手段が行う緊急制御が、前記シャッタ装置により前記熱排気窓を封鎖する制御をも含む
請求項３に記載の光源装置。
【請求項６】
前記シャッタ装置は、
前記冷却ファンと前記熱排気窓との間を繋ぐ熱排気ダクトと、
前記熱排気ダクトを開閉するダクト開閉扉と、
前記破損検出手段の検出結果に基づき、前記熱排気ダクトが開いた状態から閉じた状態に変化するように前記ダクト開閉扉の開閉動作を行うダクト開閉機構と
を備えた請求項５に記載の光源装置。
【請求項７】
さらに、前記熱排気ダクトに、光源の破損による破片、または光源の破損で放出されるガスの少なくとも一方を捕捉するフィルタを備えた請求項６に記載の光源装置。
【請求項８】
前記フィルタは、前記熱排気ダクトが開いた状態のときに前記ダクト開閉扉で塞がれ、前記熱排気ダクトが閉じた状態のときに開放される請求項７に記載の光源装置。
【請求項９】
さらに、
前記光源を収容した収容筐体と、
前記収容筐体内に空気を送り込み、前記光源を冷却する冷却ファンと、
前記収容筐体内への空気の流入を遮断する遮断手段と
を備え、
前記状態制御手段が行う緊急制御が、前記遮断手段により前記収容筐体内への空気の流入を遮断する制御を含む
請求項１に記載の光源装置。
【請求項１０】
前記収容筐体は、
前記冷却ファンにより送られた空気を前記収容筐体内に取り入れるための取入口を備え、
前記収容筐体への空気の流入を遮断する制御が、前記遮断手段により前記取入口を閉鎖する制御を含む
請求項９に記載の光源装置。
【請求項１１】
前記状態制御手段が行う緊急制御が、前記冷却ファンの動作を停止する制御をも含む
請求項９に記載の光源装置。
【請求項１２】
光を発する光源と、
前記光源からの光によって空間内に投射される画像を形成する画像形成手段と、
前記光源の破損を機械的に検出する破損検出手段と、
前記破損検出手段の検出結果に基づき、装置の状態を所定の緊急避難的防護状態へと変化させる緊急制御を行う状態制御手段と
を備え、
前記破損検出手段は、
前記光源の破損により破断する被破壊部材と、
前記光源の破損による音を拾うマイクと、
前記被破壊部材の破断および前記マイクで拾われた音により前記光源の破損を検出し、前記状態制御手段の緊急制御を開始させる検出回路と
を有する画像投影装置。
【請求項１３】
前記画像形成手段は、液晶表示素子を含んで構成されている請求項１２に記載の画像投影装置。
【発明の詳細な説明】
【０００１】
【発明の属する技術分野】
本発明は、例えば液晶プロジェクタ等の画像投影装置およびそのような装置に用いられる光源装置に関する。
【０００２】
【従来の技術】
例えば、学会の研究発表、商品のプレゼンテーション、ホームシアター等に液晶プロジェクタが使用されている。この種の液晶プロジェクタは、投影用の光源ランプを含む光源装置と、光学系と、液晶表示パネルとを備えており、光源ランプからの光が光学系を介して液晶パネルに入射し、この液晶表示パネルで光変調を受けることで、液晶表示パネルに表示された画像がスクリーンに拡大して投影されるようになっている。
【０００３】
鮮明な画像を投影するためには、比較的高出力の光源ランプを使用する必要がある。一般的には、メタルハライドランプ、高圧水銀ランプ、キセノンランプ等が光源ランプとして使用されている。このような光源ランプを使用する液晶プロジェクタにおいては、発熱量が大きくなることから、通常は、冷却ファンが設けられて、これにより、光源ランプから発生する熱を装置筐体の熱排気窓を通して装置外部に放出するようになっている。
【０００４】
【発明が解決しようとする課題】
上記のような液晶プロジェクタにおいては、光源ランプの機械的強度や寿命に関し、設計および製造上の配慮が十分になされており、通常の使用においては問題を生じない程度の耐久性を備えている。ところが、例えば装置の移動時における不測の事故（例えば、落下など）や、寿命限度を超えた長期使用等、予め想定された製品仕様や使用条件を逸脱した使用が行われる場合も現実にはあり得る。このような状況下では、光源ランプの物理的強度あるいは機械的強度が劣化する可能性があることから、その使用中に光源ランプが破損する可能性が絶対無いとは言い難い。したがって、このような光源ランプの破損という万が一の場合をも想定して、装置としての安全性能を十分に高めておく必要がある。特に、冷却ファンが装着された液晶プロジェクタにおいては、仮に光源ランプが破損した場合に、光源ランプの破片が冷却ファンによって装置筐体の熱排気窓から装置外部に飛散してしまう事態も想定される。
【０００５】
そのような光源ランプの破片の飛散を防止するためには、光源ランプ自体を密閉構造の透明ハウジング内に収容したり、あるいは熱排気窓を無くした密閉型筐体を採用することが好ましい。しかしながら、密閉構造のハウジングや密閉型の筐体を採用した場合には、光源ランプを充分に冷却することができないので、光源ランプの性能寿命が短くなり、液晶プロジェクタの動作上の信頼性を損ねてしまう。特に、鮮明な画像を投影するために使用される比較的高出力の光源ランプにおいては、より一層の充分な冷却が必要で、冷却ファンは欠くことができない構成部品になっている。
【０００６】
本発明はかかる問題点に鑑みてなされたもので、本発明の目的は、予期せぬ光源ランプの破損という極めて稀な事故に対しても十分なる安全性を確保し得る光源装置および画像投影装置を提供することにある。
【０００７】
【課題を解決するための手段】
本発明の光源装置は、光を発する光源と、光源の破損を機械的に検出する破損検出手段と、破損検出手段の検出結果に基づき、装置の状態を所定の緊急避難的防護状態へと変化させる緊急制御を行う状態制御手段とを備えている。ここで、「緊急避難的防護状態へと変化させる緊急制御」とは、光源の例えば破損という事態が万が一発生した場合に、その事態から生ずる不都合を回避するために採られるすべての手立てを含む概念であり、例えば光源装置の内部を外部から隔絶した状態にすること、光源装置の一部の動作を停止状態にすること、光源が破損してもその破片を装置外部に飛散させない状態にすること等が含まれる。本明細書において、「緊急制御」の語は同義である。さらに、「光源の破損を機械的に検出する」とは、光源が破損するときに生じる物理的変化に基づく検出すべてを含み、例えば光源が破損したときに生じる音に基づく検出をも含む意味で使用される。
【０００８】
本発明の画像投影装置は、光を発する光源と、光源からの光によって空間内に投射される画像を形成する画像形成手段と、光源の破損を機械的に検出する破損検出手段と、破損検出手段の検出結果に基づき、装置の状態を所定の緊急避難的防護状態へと変化させる緊急制御を行う状態制御手段とを備えている。ここで、「画像投影装置」とは、光源の光を利用して動画や静止画を投影する装置という意味で使用され、例えば、液晶プロジェクタやオーバーヘッドプロジェクタ（ＯＨＰ）装置のほか、映画館で用いられる映写装置等も含まれる。
【０００９】
本発明の光源装置および画像投影装置において、破損検出手段は、光源の破損により破断する被破壊部材と、光源の破損による音を拾うマイクと、被破壊部材の破断およびマイクで拾われた音により光源の破損を検出し、状態制御手段の緊急制御を開始させる検出回路とを有している。
本発明の光源装置または画像投影装置では、光源が万が一破損した場合であっても、その破損を破損検出手段で検出することができる。この破損検出手段の検出結果に基づき、状態制御手段による緊急制御が行われ、装置の状態を緊急避難的防護状態へと変化させることができる。
【００１０】
【発明の実施の形態】
以下、本発明の実施の形態について、図面を参照して詳細に説明する。
【００１１】
［第１の実施の形態］
まず、図１〜図３を参照して、本発明の第１の実施の形態に係る画像投影装置としての液晶プロジェクタについて説明する。なお、本発明に係る光源装置は、本発明の第１の実施の形態およびこれ以後に説明する他の実施の形態に係る画像投影装置によって具現化されるので、以下、併せて説明する。
【００１２】
図２は、本実施の形態に係る液晶プロジェクタの概略構成を表すものである。なお、本実施の形態では、透過型の液晶表示パネルを用いた装置について説明するが、反射型の液晶表示パネルを用いた装置にも適用可能である。この図に示したように、液晶プロジェクタ１は、装置筐体１０内に、光源２と、光源２の破損を検出する破損検出回路６０と、この破損検出回路６０の検出結果に基づき装置の状態を所定の緊急避難的防護状態へと変化させる緊急制御を行う冷却ファン制動回路６２と、電源スイッチ５０と、電源スイッチ５０の操作に応じて起動して点灯信号を出力する電源スイッチ回路５１と、装置全体を制御する制御回路５２と、上記の各回路に電力を供給する電源回路５３とを備えて構成されている。ここで、主として破損検出回路６０が本発明に係る「破損検出手段」の一具体例に対応し、主として冷却ファン制動回路６２が本発明における「状態制御手段」の一具体例に対応する。
【００１３】
光源２から照射された光は、装置筐体１０の内部において光学系３、液晶表示装置４のそれぞれを透過し、装置筐体１０の外部の空間内に配置された図示しないスクリーンに、液晶表示装置４により形成された画像を拡大して投影するようになっている。
【００１４】
図３は光源２の断面構造を拡大して表したものである。この図に示したように、光源２は、第１の電極２２と第２の電極２３とを有するランプ２０と、ランプ２０からの光出力を効率良く光学系３に出力するためのリフレクタ２１とを備えて構成されている。第１の電極２２には配線２４が接続され、第２の電極２３には配線２５が接続されている。これらの配線２４および２５により、ランプ２０を点灯させるための点灯電流がランプ２０に供給されるようになっている。ランプ２０としては、例えばメタルハライドランプ、高圧水銀ランプ、キセノンランプ等が実用的に使用することができる。
【００１５】
図２に示すように、光学系３は、第１のフライアイレンズ３００、第２のフライアイレンズ３０１、Ｐ／Ｓコンバータ３０２、集光レンズ３０３、３０９、ミラー３０４、３０６、３０８、３１０、第１のダイクロイックミラー３０５、第２のダイクロイックミラー３０７、色合成プリズム３１２、および投影レンズ３１１を備えて構成されている。
【００１６】
光源２から照射された光は、まず第１のフライアイレンズ３００、第２のフライアイレンズ３０１のそれぞれを通過して光束断面内での輝度分布が均一化された後、Ｐ／Ｓコンバータ３０２によってＳ偏光波に変換される。この変換された光は、集光レンズ３０３、ミラー３０４のそれぞれを経て第１のダイクロイックミラー３０５に到達するようになっている。第１のダイクロイックミラー３０５は、到達した光から青色光を選択的に反射させる。この反射された青色光は、さらにミラー３０６で反射されて、液晶表示装置４の第１の液晶表示パネル４０を透過し、色合成プリズム３１２に到達するようになっている。一方、第１のダイクロイックミラー３０５を透過した光は第２のダイクロイックミラー３０７に到達する。この第２のダイクロイックミラー３０７は、到達した光から、緑色光を選択的に反射する。この反射された緑色光は液晶表示装置４の第２の液晶表示パネル４１を透過し、色合成プリズム３１２に到達するようになっている。第２のダイクロイックミラー３０７を透過した光は赤色光となる。この赤色光は、ミラー３０８、集光レンズ３０９、およびミラー３１０のそれぞれを経て液晶表示装置４の第３の液晶表示パネル４２に到達し、この第３の液晶表示パネル４２を透過して色合成プリズム３１２に到達する。
【００１７】
色合成プリズム３１２に到達した青色光、緑色光および赤色光は、ここで合成されてカラー画像となり、投影レンズ３１１を通して、液晶プロジェクタ１の外部に投射され、例えば図示しないスクリーン上に動画または静止画として投影されるようになっている。
【００１８】
図２に示すように、液晶プロジェクタ１は、さらに光源２の点灯により発生する熱を強制的に装置筐体１０の外部に放出するための冷却ファン７と、熱排気窓１１とを備えている。冷却ファン７は、回転によって強制的に空気を外部に放出する回転羽根７１と、この回転羽根７１を回転させるファンモータ７０とを有している。回転羽根７１はファンモータ７０の回転軸に連結されている。熱排気窓１１は、冷却ファン７の近傍の装置筐体１０の一部に配設されており、装置筐体１０の内部と外部とを連通する貫通穴を備えている。防塵対策として、この熱排気窓１１には網状のフィルタを取り付け可能である。
【００１９】
光源２の点灯および冷却ファン７の回転動作は、装置筐体１０の外部に配設された電源スイッチ５０を投入して電源スイッチ回路５１を起動することでスタートするとともに、制御回路５２により制御されるようになっている。
【００２０】
図１は液晶プロジェクタ１における回路部分の概略構成を表すものである。図１および図２に示したように、制御回路５２は、光源２の点灯を制御する光源制御回路５２０と、冷却ファン７の回転動作制御を行う冷却ファン制御回路５２１とを少なくとも備えている。
【００２１】
光源制御回路５２０は、電源スイッチ５０の投入により電源スイッチ回路５１を起動し、この電源スイッチ回路５１から出力される点灯信号に基づいて光源２を点灯させ、この点灯を維持するようになっている。電源スイッチ５０を切れば、光源制御回路５２０による光源２の点灯を停止させることができる。
【００２２】
同様に、冷却ファン制御回路５２１は、電源スイッチ５０の投入により電源スイッチ回路５１を起動し、この電源スイッチ回路５１から出力されるファン駆動信号に基づいてファンモータ７０を駆動するようになっており、このファンモータ７０の駆動により回転羽根７１を回転させることができる。つまり、冷却ファン７を駆動させることができる。電源スイッチ５０を切れば、冷却ファン制御回路５２１による冷却ファン７の駆動を停止させることができる。
【００２３】
破損検出回路６０は、光源２の近傍に配設され、この光源２の破損で破断する導電性ワイヤ６０ａと、この導電性ワイヤ６０ａの破断を検出し、冷却ファン制動回路（状態制御手段）６２の緊急制御を開始させる検出回路６０ｂとを備えている。比較的高出力のランプ２０においては、光源２の破損でリフレクタ２１自体も破壊されるので、導電性ワイヤ６０ａは、リフレクタ２１の後方に近接させて配置するのが好ましい。光源２の破損で破断しやすいように（センサとしての感度を高めるために）、導電性ワイヤ６０ａには適度にテンションを加えることが好ましい。ここで、導電性ワイヤ６０ａが本発明における「被破壊部材」の一具体例に対応し、検出回路６０ｂが本発明における「検出回路」の一具体例に対応する。
【００２４】
導電性ワイヤ６０ａは検出回路６０ｂからの電源供給により通電状態に維持されている。導電性ワイヤ６０ａへの電源は、液晶プロジェクタ１の動作中においては、電源回路５３から検出回路６０ｂを通じて供給されるようになっている。
【００２５】
導電性ワイヤ６０ａは、上記のとおり、光源２の破損で破断させる必要があることから、例えば数μｍ〜数十μｍ程度の直径のワイヤ、例えば金ワイヤ、銅ワイヤ等を実用的に使用することができる。導電性ワイヤ６０ａは、通電しておく必要があるので導電性を備えることは勿論であるが、光源２の点灯による発熱で溶断されないような融点の材料であることが好ましい。
【００２６】
検出回路６０ｂは、導電性ワイヤ６０ａの一端側および他端側に接続されるとともに、冷却ファン制動回路６２に接続されている。検出回路６０ｂは、導電性ワイヤ６０ａが万が一光源２の破損で破断した場合に、光源２が破損したことを検知して起動信号を出力し、これにより、冷却ファン制動回路６２を起動させるようになっている。
【００２７】
冷却ファン制動回路６２は、冷却ファン制御回路５２１に接続されるとともに、冷却ファン７のファンモータ７０に接続されている。この冷却ファン制動回路６２は、検出回路６０ｂから起動信号が入力されると、冷却ファン制御回路５２１によるファンモータ７０の回転動作を停止させると共に、電気的な逆起電力によりファンモータ７０の回転に制動を加えて強制的に停止させるという制御を行うようになっている。通常、冷却ファン７においては、ファンモータ７０に供給される電源を単に停止した場合には、惰性により回転羽根７１が完全に停止するまでに数十秒の時間を要するが、上記のような制動機能を備えることにより、数十分の１秒から数秒程度の瞬時に回転羽根７１を完全に停止させることができる。但し、逆起電力による制動のほか、機械的なブレーキを用いて制動するように構成することも可能である。ここで、冷却ファン制動回路６２によって冷却ファン７の回転動作を強制的に停止させる制御は、結果的に光源２の破損で生じた破片を冷却ファン７で装置外部に飛散させないための制御であり、本発明における「装置の状態を所定の緊急避難的防護状態へと変化させる緊急制御」の一具体例に対応するものである。
【００２８】
次に、このような構成の液晶プロジェクタ１の動作について説明する。
（１）液晶プロジェクタ１の正常動作
図１および図２に示したように、まず電源スイッチ５０を投入し、電源スイッチ回路５１を起動する。電源スイッチ回路５１は、制御装置５２の光源制御回路５２０に点灯信号を、冷却ファン制御回路５２１に駆動信号をそれぞれ出力する。点灯信号に基づき、光源制御回路５２０は、光源２を点灯させ、この点灯状態を維持する。同時に、駆動信号に基づき、冷却ファン制御回路５２１は、ファンモータ７０を駆動させて回転羽根７１を回転させ、冷却ファン７を稼働させる。冷却ファン７の稼働により、光源２の温度上昇を抑制することができる。一方、破損検出回路６０の導電性ワイヤ６０ａには電源回路５３から検出回路６０ｂを通して電源が供給されており、通電状態にある。
【００２９】
（２）動作中に異常（光源２の破損）が発生した場合の停止動作
光源２が点灯中に、何らかの原因で、突然、光源２が破損したとすると、光源２の近傍に配設されている、破損検出回路６０の導電性ワイヤ６０ａが破損で破断（切断）される。この導電性ワイヤ６０ａの破断により通電状態ではなくなり、検出回路６０ｂから冷却ファン制動回路６２に、緊急避難的防護状態へと変化させる緊急制御を開始させるための起動信号が出力される。この起動信号に基づいて冷却ファン制動回路６２は、冷却ファン制御回路５２１によるファンモータ７０の動作を停止させ、この動作の停止と併せてファンモータ７０に逆起電力を生じさせ、強制的にファンモータ７０の動作を瞬時に停止させて、併せて回転羽根７１の回転を瞬時に停止させる。このため、たとえ光源２が破損したとしても、その破片が熱排気窓１１から装置外部に排出されることを効果的に防止することができる。
【００３０】
なお、本発明においては、冷却ファン７の動作停止と併せて、光源制御回路５２０から光源２に供給される点灯のための電源の供給を停止させるようにすることが好ましい。すなわち、たとえ光源２が破損したとしても、その後にランプ２０の電極２２と２３との間には点灯のための放電動作が行われることがあり、このように光源２への電源供給を停止させることによって、大気中での放電によるスパーク等の発生を効果的に防止することができる。
【００３１】
（３）動作していない場合に異常が発生した場合の停止動作
液晶プロジェクタ１が動作していない状態において、何らかの原因で光源２が破損し、その後、光源２の破損を知らないで電源スイッチ５０を投入してしまったとしても、既に導電性ワイヤ６０ａは破断状態にあるため、冷却ファン７は駆動されることがなく、また、光源２への電源供給がなされることもない。
【００３２】
以上説明したように、本実施の形態に係る液晶プロジェクタ１によれば、光源２の破損を検出する破損検出回路６０と、冷却ファン制動回路６２とを備えるとともに、冷却ファン制動回路６２が、破損検出回路６０の検出結果に基づき、装置の状態を所定の緊急避難的防護状態へと変化させる緊急制御を行うようにしたので、万が一、光源２が破損したとしても、十分なる安全性を確保することができる。
【００３３】
より具体的には、光源２が破損した時に冷却ファン制動回路６２が冷却ファン７の動作を停止させる制御を行うようにしたので、光源２の破損による破片を飛散しないようにすることができる。また、冷却ファン７を用いた場合でも光源２の破損時における安全性を十分担保できることから、液晶プロジェクタ１の装置筐体１０を密閉構造にする必要がなくなる。この結果、光源２を冷却ファン７で充分に冷却して光源２の長寿命化を図ることができる。
【００３４】
さらに、本実施の形態によれば、光源２の破損により導電性ワイヤ６０ａが物理的あるいは機械的に破断されたか否かの結果に基づいて緊急制御を行うようにしたので、安全性を向上させるための付加機構を極めて簡易な構成で実現することができる。したがって、装置のコンパクト化およびコスト抑制が可能になる点で有利である。また、安全性の向上に要する製作コストの上昇も抑制することができる。なお、本実施の形態では、導電性ワイヤが通電状態にあるか否かという電気的な方法によってその破断を検出するようにしたが、このほか、導電性ワイヤを一定のテンションで張り渡しておき、このテンションが一定値以下に低下した場合に破断として検出するようにしてもよい。
【００３５】
さらに、本実施の形態によれば、冷却ファン制動回路６２が、冷却ファン７への電力供給を停止させる制御と、ブレーキにより冷却ファン７の回転を強制的に制動する制御とを備えたので、瞬時に冷却ファン７の回転を停止させることができ、万が一、光源２が破損したとしても、より一層の十分なる安全性を確保することができる。
【００３６】
なお、本実施の形態では、破損検出回路６０において１本の導電性ワイヤ６０ａを用いるようにしたが、本発明は、これに限定されず、複数本の導電性ワイヤ６０ａを組み合わせて用いるようにしてもよい。このようにすることにより、光源２の破損の検出精度を高めることができる。さらに、複数本の導電性ワイヤ６０ａの直径はすべて等しく形成してもよいし、また破損波の感知帯域を広げて破損の検出精度を向上するために、直径が異なりかつ破損波を感知する帯域の異なる複数本の導電性ワイヤを使用するようにしてもよい。
【００３７】
［第２の実施の形態］
次に、本発明の第２の実施の形態について説明する。本実施の形態に係る液晶プロジェクタは、上記第１の実施の形態に係る液晶プロジェクタ１において、さらに冷却ファン７と熱排気窓１１との間にシャッタ装置を備えたものである。
【００３８】
図４は本実施の形態に係る液晶プロジェクタの回路構成を示すブロック回路図である。この図で、上記本発明の第１の実施の形態の図１に示した構成要素と同一の構成要素には同一の符号を付け、適宜、説明を省略する。
【００３９】
図４に示したように、本実施の形態に係る液晶プロジェクタ１は、冷却ファン７とその近傍の装置筐体１０に配設された熱排気窓１１との間に、熱排気窓１１を開閉させるシャッタ装置８を備えている。シャッタ装置８は、光源２の破損がない正常な状態のときには開いており、冷却ファン７の稼働で送られる光源２の点灯による熱を熱排気窓１１を通して装置外部に放出することができる。一方、シャッタ装置８は、光源２が破損するような異常な状態の時には閉まるようになっており、光源２の破損で発生する破片を熱排気窓１１を通して装置外部に飛散させないようになっている。
【００４０】
シャッタ装置８は、冷却ファン７と熱排気窓１１との間を繋ぐ熱排気ダクト８１と、熱排気ダクト８１を開閉するダクト開閉扉８２と、破損検出回路６０の検出結果に基づき、熱排気ダクト８１が開いた状態から閉じた状態にダクト開閉扉８２の開閉動作を行うダクト開閉機構８３とを備えている。ダクト開閉機構８３は、具体的には、一端を中心として他端が回転自在に取り付けられたダクト開閉扉８２を熱排気ダクト８１を閉じるように付勢する弾性体８３１と、ダクト開閉扉８２の他端に配設されたフック部８３２と、このフック部８３２に係合され弾性体８３１の弾性力に抗して熱排気ダクト８１を開くようにダクト開閉扉８２の他端を保持するプランジャ８３３とを備えている。プランジャ８３３は、破損検出回路６０の検出回路６０ｂに接続されており、導電性ワイヤ６０ａが光源２の破損により破断された旨の起動信号が検出回路６０ｂから出力されたときに、フック部８３２との係合を解除し、ダクト開閉扉８２で熱排気ダクト８１を閉じるようになっている。
【００４１】
図５はシャッタ装置８の要部の斜視図である。ダクト開閉機構８３の弾性体８３１としては、コイルスプリングを使用している。ここで、シャッタ装置８は本発明における「シャッタ装置」の一具体例に対応するものである。その他の構成は図１に示す本発明の第１の実施の形態に係る液晶プロジェクタ１と同様である。
【００４２】
次に、このような構成の液晶プロジェクタ１のシャッタ装置８の動作について説明する。なお、冷却ファン７の動作については、上記第１の実施の形態の場合と同様であるので、適宜、重複説明は省略する。
（１）液晶プロジェクタ１の正常動作
上記第１の実施の形態に係る液晶プロジェクタ１の動作（１）と同様に、電源スイッチ５０を投入することにより、光源２を点灯させ、さらに冷却ファン７を稼働させる。このとき、破損検出回路２の導電性ワイヤ６０ａは、電源回路５３から検出回路６０ｂを通して電源が供給されており、通電状態にある。図４に示したように、シャッタ装置８においては、弾性体８３１の弾性力に抗してダクト開閉扉８２の他端のフック部８３２とプランジャ８３３とが係合状態にあり、熱排気ダクト８１は開いた状態にある。すなわち、光源２の点灯で発生する熱は、冷却ファン７により熱排気ダクト８１を通して熱排気窓１１から装置外部に放出される。
【００４３】
（２）動作中に異常が発生した場合の停止動作
上記第１の実施の形態に係る液晶プロジェクタ１の動作（２）と同様に、光源２が点灯中に、突然、何らかの原因で光源２が破損したとすると、破損検出回路６０の導電性ワイヤ６０ａが破損で破断され、検出回路６０ｂから冷却ファン制動回路６２に、緊急避難的防護状態へと変化させる緊急制御を行うための起動信号が出力される。この起動信号に基づいて冷却ファン制動回路６２は冷却ファン７の稼働を停止させる。
【００４４】
さらに、緊急避難的防護状態へと変化させる緊急制御を行うための起動信号は、シャッタ装置８のダクト開閉機構８３のプランジャ８３３にも出力され、この起動信号の入力に基づきプランジャ８３３はフック部８３２との係合を解除する。この係合の解除により、弾性体８３１の弾性力が働き、熱排気ダクト８１がダクト開閉扉８２により閉じられる。このため、たとえ光源２が破損したとしても、シャッタ装置８により熱排気窓１１が封鎖され、光源２の破片が熱排気窓１１から装置外部に排出されることを効果的に防止することができる。
【００４５】
（３）動作していない場合に異常が発生した場合の停止動作
液晶プロジェクタ１が動作していない状態において、何らかの原因で光源２が破損していたときには、既に導電性ワイヤ６０ａが破断状態にあることから、電源スイッチ５０の投入後直ちに、上記動作（２）と同様に冷却ファン７を強制的に停止させる制御と、シャッタ装置８により熱排気窓１１を封鎖する制御とが行われる。したがって、たとえ光源２の破損を知らずに電源スイッチ５０を投入してしまったとしても、光源２の破損により生じていた破片等が装置外部に飛散することがない。
【００４６】
このように、本実施の形態の液晶プロジェクタ１によれば、冷却ファン７の近傍の装置筐体１０に配設された熱排気窓１１を開閉させるシャッタ装置８をさらに備え、冷却ファン制動回路６２が冷却ファン７の動作を停止させる制御を行うとともに、シャッタ装置８で熱排気窓１１を封鎖する制御を行うようにしたので、装置外部に光源２の破損による破片が飛散することをより効果的に防止することができる。
【００４７】
［第３の実施の形態］
次に、本発明の第３の実施の形態について説明する。本実施の形態に係る液晶プロジェクタは、上記第２の実施の形態の液晶プロジェクタ１において、さらにシャッタ装置８の熱排気ダクト８１に集塵フィルタを備えたものである。
【００４８】
図６は本実施の形態の液晶プロジェクタのシャッタ装置を表すものである。なお、この図で、上記の図１で示した構成要素と同一の構成要素には同一の符号を付し、適宜、説明を省略する。
【００４９】
図６に示したように、本実施の形態の液晶プロジェクタは、シャッタ装置８の熱排気ダクト８１において、ダクト開閉扉８２の冷却ファン７側の手前に集塵フィルタ８６を備えている。集塵フィルタ８６は、熱排気ダクト８１が開いた状態のときにダクト開閉扉８２で塞がれ、熱排気ダクト８１が閉まった状態（熱排気窓１１が封鎖された状態）のときに開放されるようになっている。集塵フィルタ８６は熱排気ダクト８１に着脱自在に取り付け取り外しができるものを使用することが好ましい。
【００５０】
集塵フィルタ８６は、光源２の破損により熱排気ダクト８１を通過する少なくとも破片を捕捉するようになっている。光源２の破片のみを捕捉する場合には、集塵フィルタ８６として、紙フィルタ、布フィルタ、樹脂を編み込んだ樹脂フィルタ、比較的網目の細かい金属性フィルタ等を実用的に使用することができる。さらに、例えば高圧水銀ランプのような破損した際に有害なガスを放出する恐れがある光源２を使用する場合には、集塵フィルタ８６として、これらの有害なガスを吸着して捕捉できる多孔質フィルタ、詳細にはスポンジフィルタ、活性炭フィルタ等を使用するのが好ましい。
【００５１】
このように、本実施の形態に係る液晶プロジェクタによれば、集塵フィルタ８６を備えたので、光源２の破損による破片を効果的に捕捉することができる。特に、シャッタ装置８のダクト開閉扉８２の手前に集塵フィルタ８６を備えたことにより、ダクト開閉扉８２で熱排気ダクト８１を閉じて熱排気窓１１を封鎖し、破片の装置外部への飛散を効果的に防ぐことができるとともに、ダクト開閉扉８２で堰き止めた破片を集塵フィルタ８６で効率良く捕捉することができる。さらに、集塵フィルタ８６に多孔質フィルタを使用することにより、光源２の破損で放出される有害なガスを捕捉することができる。
【００５２】
［第４の実施の形態］
次に、本発明の第４の実施の形態について説明する。本実施の形態に係る液晶プロジェクタは、光源２の破損に伴って生ずる音を検出し、この検出結果に基づいて緊急避難的防護状態へと変化させる緊急制御を行うようにしたものである。
【００５３】
図７は本発明の第４の実施の形態に係る液晶プロジェクタの回路構成を表すものである。なお、この図で、上記第１の実施の形態の図１で示した構成要素と同一の構成要素には同一の符号を付し、適宜、説明を省略する。
【００５４】
図７に示したように、液晶プロジェクタは、装置筐体１０内に、光源２と、光源２の破損による音を検出する破損検出回路６１と、この破損検出回路６１の検出結果に基づき装置の状態を所定の緊急避難的防護状態へと変化させる緊急制御を行う冷却ファン制動回路６２と、電源スイッチ５０と、電源スイッチ５０の操作に応じて起動して点灯信号を出力する電源スイッチ回路５１と、装置全体を制御する制御回路５２と、上記の各回路に電力を供給する電源回路５３とを備えて構成されている。ここで、主として破損検出回路６１が本発明に係る「破損検出手段」の一具体例に対応する。
【００５５】
破損検出回路６１は、光源２の破損による音を拾うマイク６１ａと、このマイク６１ａで拾われた音から光源２の破損を検出し、冷却ファン制動回路（状態制御手段）６２の緊急制御を開始させる検出回路６１ｂとを備えている。マイク６１ａは、光源２の近傍で、この光源２と光学系３（図２参照。）との間に配設されることが好ましい。マイク６１ａとしては、感度良く音を拾うようにするために、光源２のランプ２０の方向からの音を選択に拾うことができる指向性の強いものを使用可能である。また、光源２の破損による音は比較的大きな音量であるので、検出回路６１ｂは、マイク６１ａから入力された音量信号のうち、光源２の破損による音の音量に近い、ある一定音量以上の音のみを検出するように構成するのが好ましい。
【００５６】
本実施の形態に係る液晶プロジェクタの緊急制御動作は、光源２の破損による音を破損検出回路６１のマイク６１ａで拾う点が異なるものの、その他の冷却ファン７の動作の強制的な停止を行う緊急制御については上記第１の実施の形態の場合と同様であり、その説明を省略する。
【００５７】
このように、本実施の形態に係る液晶プロジェクタによれば、光源２の破損による音を検出する破損検出回路６１と、冷却ファン制動回路６２とを備えるとともに、冷却ファン制動回路６２が破損検出回路６１の検出結果に基づき、装置の状態を所定の緊急避難的防護状態へと変化させる緊急制御を行うようにしたので、万が一、光源２が破損したとしても、十分なる安全性を確保することができる。
【００５８】
［第５の実施の形態］
次に、本発明の第５の実施の形態について説明する。図８は本発明の第５の実施の形態に係る液晶プロジェクタの基本構成を表すものである。図８において、上記の第１の実施の形態の図１に示した構成要素と同一の構成要素には同一の符号を付け、適宜、説明を省略する。以下の説明では、図８において紙面の手前側を液晶プロジェクタの上側として説明する。
【００５９】
図８に示したように、本実施の形態の液晶プロジェクタ１００は、例えば直方体形状の装置筐体１１０内に、光源２を含む光源ユニット２００と、装置筐体１１０外に配置された図示しないスクリーンに画像を投影する画像投影部１５０とを備えて構成されている。さらに、液晶プロジェクタ１００は、いずれも第１の実施の形態と同様に構成された、冷却ファン７、破損検出回路６０、冷却ファン制動回路６２、電源スイッチ５０、電源スイッチ回路５１、制御回路５２および電源回路５３を備えている。
【００６０】
画像投影部１５０は、第１の実施の形態における光学系３および液晶表示装置４により構成されたものであり、光源ユニット２００の光源２から発せられた光を用いて、装置筐体１１０の外部に配置された図示しないスクリーンに画像を拡大して投影するよう構成されている。
【００６１】
光源ユニット２００は、光源２を収容した例えば直方体形状の収容ケース２０１を備えている。収容ケース２０１の一側面には、光源２が発した光を収容ケース２０１外に導くための窓部２０５が形成されており、この窓部２０５には、例えばガラスなどの透明な部材がはめ込まれている。光源ユニット２００に隣接して、反射ミラー１２１が、窓部２０５にほぼ対向するように配置されている。この反射ミラー１２１は、窓部２０５を通って光源ユニット２００から発せられた光を画像投影部１５０に向けて反射するようになっている。光源２は、第１の実施の形態と同様に構成されたランプ２０およびリフレクタ２１を備えて構成されている。ここで、収容ケース２０１は、本発明における「収容筐体」の一具体例に対応する。
【００６２】
冷却ファン７は、第１の実施の形態と同様の構造を有しているが、光源ユニット２００から離間した位置に配置され、その回転羽根７１を光源ユニット２００側に向けている。冷却ファン７と光源ユニット２００との間には、冷却ファン７からの空気を光源ユニット２００に導くためのダクト１２２が設けられている。ダクト１２２および冷却ファン７は、反射ミラー１２１および光源ユニット２００よりも上方に配置されており、光源ユニット２００から発した光の経路を妨害しないようになっている。ここで、冷却ファン７は、本発明における「冷却ファン」の一具体例に対応する。
【００６３】
図９は、光源ユニット２００の構造を表す斜視図である。光源ユニット２００において、収容ケース２０１の窓部２０５に近い方の側の上面には、冷却ファン７から送られた空気を収容ケース２０１の内部に導くための取入口２０２が形成されている。収容ケース２０１の取入口２０２と反対の側の側面には、取入口２０２から導入した空気を排出するための排出口２０３が形成されている。排出口２０３には、網状のフィルタ２０４が設けられており、収容ケース２０１内の塵などが収容ケース２０１外に飛散しないようになっている。
【００６４】
すなわち、冷却ファン７から送られた空気が取入口２０２から収容ケース２０１の内部に流入し、収容ケース２０１内部を通って排出口２０３から外部に流出するようになっており、これにより光源２の温度上昇が抑制されるようになっている。図８に示したように、装置筐体１１０の側面であって光源ユニット２００の排出口２０３の近傍には熱排気窓１１１が設けられており、光源ユニット２００から流出された空気が装置筐体１１０外部に排出されるようになっている。ここで、取入口２０２は、本発明における「取入口」の一具体例に対応する。
【００６５】
図９に示したように、収容ケース２０１の上面には、取入口２０２を閉鎖するための可動蓋２１０が設けられている。この可動蓋２１０は、平板状部材であって、収容ケース２０１の上面において取入口２０２側およびその反対側に移動できるように（図示しない案内部材により）スライド可能に支持されている。可動蓋２１０の移動方向に直交する方向における両側には、２つのコイルバネ２１１，２１２が互いに平行に設けられている。コイルバネ２１１，２１２は、それぞれ一端において可動蓋２１０に固定され、他端において図示しない固定部材に固定されており、可動蓋２１０を取入口２０２側に向けて付勢するようになっている。
【００６６】
可動蓋２１０の取入口２０２側と反対側の端部近傍には、例えば円形の開口部２１４が形成されており、この開口部２１４には、可動蓋２１０の移動をロックするためのプランジャ２１５が係合している。プランジャ２１５は、図中ブロックで示す開閉駆動部２２０により駆動され、可動蓋２１０の開口部２１４に係合する位置と開口部２１４から抜け出した位置との間で往復移動するようになっている。プランジャ２１５が可動蓋２１０の開口部２１４に係合しているときには、可動蓋２１０は取入口２０２から離間した位置でロックされ、取入口２０２が開放状態になるようになっている。プランジャ２１５が可動蓋２１０の開口部２１４から抜け出すと、可動蓋２１０はコイルバネ２１１，２１２の付勢力により取入口２０２上に移動し、取入口２０２を閉鎖するようになっている。ここで、可動蓋２１０および開閉駆動部２２０は、本発明における「遮断手段」の一具体例に対応する。
【００６７】
第１の実施の形態と同様、冷却ファン制動回路６２は、検出回路６０ｂからの起動信号に基づき、制御回路５２の冷却ファン制御回路５２１（図１）によるファンモータ７０の駆動を停止させると共に、電気的な逆起電力によりファンモータ７０の回転に制動を加えるようになっている。本実施の形態では、さらに、制御回路５２が、検出回路６０ｂからの起動信号に基づき、開閉駆動部２２０を駆動して収容ケース２０１の取入口２０２を閉鎖する制御を行うようになっている。取入口２０２を閉鎖する制御は、収容ケース２０１への空気の流入を遮断して、光源２の破片を収容ケース２０１外に飛散させないようにするための制御であり、本発明における「装置の状態を所定の緊急避難的防護状態へと変化させる緊急制御」の一具体例に対応するものである。
【００６８】
次に、第５の実施の形態に係る液晶プロジェクタ１００の動作について説明する。
（１）液晶プロジェクタ１００の正常動作
上記第１の実施の形態に係る液晶プロジェクタ１の動作（１）と同様に、電源スイッチ５０を投入することにより、光源２を点灯させ、さらに冷却ファン７を稼働させる。このとき、破損検出回路２の導電性ワイヤ６０ａは、電源回路５３から検出回路６０ｂを通して電源が供給されており、通電状態にある。図９に示したように、開閉駆動部２２０がプランジャ２１５を可動蓋２１０の開口部２１４に係合させているため、取入口２０２は開いた状態にある。冷却ファン７から送られた空気は、光源ユニット２００の収容ケース２０１の取入口２０２から収容ケース２０１の内部に流入し、収容ケース２０１の内部を通って排出口２０３から流出する。排出口２０３から流出した空気は、装置筐体１１０の熱排気窓１１１を通って装置外に流出する。従って、光源２の点灯により発生した熱は、排出口２０３および熱排気窓１１１を通って装置筐体１１０の外部に放出され、光源２の温度上昇は抑制される。
【００６９】
（２）動作中に異常が生じた場合の停止動作
本発明の第１の実施の形態に係る液晶プロジェクタ１００の動作（２）と同様に、光源２の点灯中に光源２が破損した場合、破損検出回路６０の導電性ワイヤ６０ａが破断され、検出回路６０ｂから冷却ファン制動回路６２に、緊急避難的防護状態へと変化させる緊急制御を行うための起動信号が出力される。この起動信号に基づき、冷却ファン制動回路６２は、制御回路５２の冷却ファン制御回路５２１（図１）によるファンモータ７０の駆動を停止させ、かつ、電気的な逆起電力によりファンモータ７０の回転に制動を加える。
【００７０】
検出回路６０ｂは、制御回路５２にも起動信号を出力する。制御部５２は、この起動信号に基づき、開閉駆動部２２０を駆動してプランジャ２１５を可動蓋２１０の開口部２１４から抜ける方向に移動させる。これにより、可動蓋２１０は、バネ２１１，２１２の付勢力によって収容ケース２０１の取入口２０２に向けて移動して取入口２０２を閉鎖する。このようにして収容ケース２０１の取入口２０２が閉鎖されるため、冷却ファン７からの空気の収容ケース２０１の内部への流入が遮断される。従って、収容ケース２０１内において破損した光源２が排出口２０３から外部に出ることが防止され、従って、光源２の破片が熱排気窓１１１から装置外部に排出されることが効果的に防止される。なお、第１の実施の形態と同様、本実施の形態おいても、冷却ファン７の動作停止と併せて、光源制御回路５２０（図１）から光源２に供給される点灯のための電源の供給を停止させるようにすることが好ましい。
【００７１】
（３）動作していない場合に異常が発生した場合の停止動作
液晶プロジェクタ１が動作していない状態において、何らかの原因で光源２が破損し、その後、光源２の破損を知らないで電源スイッチ５０を投入してしまったとしても、第１の実施の形態と同様、既に導電性ワイヤ６０ａは破断状態にあるため、冷却ファン７は駆動されることがない。
【００７２】
このように、本実施の形態に係る液晶プロジェクタ１００によれば、光源２が破損した際に、可動蓋２１０により収容ケース２０１の取入口２０２を閉鎖するようにしたため、冷却ファン７からの空気の収容ケース２０１の内部への流入が遮断される。従って、冷却ファン７により送り込まれた空気によって光源２の破片が排出口２０３から収容ケース２０１外に飛散することが防止される。このように、光源２の破片を収容ケース２０１内にとどめておくことができるため、光源２の破片が装置筐体１１０の外部に飛散することを効果的に防止することができる。また、本実施の形態では、光源２の破片が液晶プロジェクタ１００の内部全体に散乱することがないため、液晶プロジェクタ１００の修理なども簡単になる。
【００７３】
本実施の形態では、光源２の破損が生じた場合に可動蓋２１０によって取入口２０２のみを閉鎖するようにしたが、取入口２０２と排出口２０３の両方を閉鎖するようにしてもよい。また、取入口２０２を閉鎖するための構成は、可動蓋２１０やプランジャ２１５を用いた機構に限らず、どのような機構であってもよい。
【００７４】
以上、いくつかの実施の形態を挙げて本発明を説明したが、本発明は上記各実施の形態に限定されるものではなく、種々変更可能である。例えば、上記第１の実施の形態に係る破損検出回路６０の破損力を検出する導電性ワイヤ６０ａと、第４の実施の形態に係る破損検出回路６１の音を拾うマイク６１ａとの双方を併せ持つ破損検出回路を設けるように構成してもよい。この場合、ワイヤの破断および音という複数種類の物理現象に基づいて光源２の破損を機械的に検出することができるので、検出精度が向上し、安全性能をより一層高めることができる。また、破損検出回路６０の検出回路６０ａや破損検出回路６１の検出回路６１ａは、機械的接点を有するリレーを用いて構成することが可能であるが、このほか、例えばサイリスタ等の半導体デバイスを使用して構成することも可能である。
【００７５】
また、第４の実施の形態に係る液晶プロジェクタ１において、さらに、第２の実施の形態で示したシャッタ装置８、または第３の実施の形態で示した集塵フィルタ８６の少なくとも一方を備えるようにしてもよい。
【００７６】
さらに、第１の実施の形態に係る破損検出回路６０の導電性ワイヤ６０ａに代えて、例えば、リフレクタの表面に導電膜パターンを形成し、このパターンの破断をもって光源２の破損を検出するようにしてもよい。導電膜パターンは、例えばＩＴＯ（Indium Tin Oxide) 等の透明導電膜を用いるのが好ましい。さらに、導電性ワイヤに代えて、空間的な位置変化を生じることが可能な位置変動子とそれに装着された加速度センサとを設け、光源２の破損を加速度として検出するようにしてもよい。また、圧力センサを設けて、光源２の破損により生ずる圧力変化を検出するようにしてもよい。さらにまた、光源の破損により移動する可動片を備えると共に、この可動片の動きによって電気的接点をオンまたはオフさせることで光源の破損を検出するようにした機械的スイッチを用いてもよい。
【００７７】
さらに、本発明は、液晶プロジェクタに限定されるものではなく、例えばオーバーヘッドプロジェクタ（ＯＨＰ）や映画館で用いられる映写装置等にも適用することができる。さらに、本発明は、これらの画像投影装置に限定されるものではなく、単なる照明を目的として構成された照明装置や投光装置等に用いられる光源装置にも広く適用することができる。
【００７８】
【発明の効果】
以上説明したように、本発明の光源装置、または画像投影装置によれば、光源の破損を機械的に検出する破損検出手段と、破損検出手段の検出結果に基づき、装置の状態を所定の緊急避難的防護状態へと変化させる緊急制御を行う状態制御手段とを備えるようにしたので、光源が破損を生じた場合に装置の状態を所定の緊急避難的防護状態へと変化させることが可能となる。したがって、例えば、予期せぬ光源の破損に対しても、十分なる安全性を確保することができるという効果を奏する。
【００８０】
特に、請求項３に記載の光源装置によれば、冷却ファンをさらに備え、状態制御手段が行う緊急制御が、少なくとも冷却ファンの動作を停止させる制御を含むようにしたので、光源の破損による破片を飛散しないように直ちに防護することができるという効果を奏する。また、そのような緊急避難的防護機能を備えていることから、光源の温度上昇を冷却ファンで充分に冷却することができる。この結果、光源の長寿命化を図ることができるという効果を奏する。
【００８１】
また、請求項４に記載の光源装置によれば、冷却ファンの回転を強制的に停止させる冷却ファン制動回路をさらに備え、冷却ファンの動作を停止させる制御が、冷却ファンへの電力供給を停止させる制御と、冷却ファンの回転を強制的に制動する制御とを含むようにしたので、冷却ファンの動作停止後に冷却ファンの惰性回転によって光源の破片が外部に飛散してしまうのを効果的に防止することができるという効果を奏する。
【００８２】
請求項５に記載の光源装置によれば、熱排気窓を備えている場合には、この熱排気窓を開閉させるシャッタ装置を設けると共に、状態制御手段が行う緊急制御が、シャッタ装置により熱排気窓を封鎖する制御をも含むようにしたので、光源の破片が熱排気窓から装置外部に飛散するのをより確実に防止することができるという効果を奏する。
【００８３】
請求項７に記載の光源装置によれば、光源の破損による破片、光源の破損で放出されるガスの少なくとも一方を捕捉するフィルタを備えたので、光源の破片の装置内部および装置外部への飛散を防止することができるとともに、光源の破損後のメンテナンス作業を簡単にすることができるという効果を奏する。
【００８４】
請求項９ないし請求項１１のいずれか１項に記載の光源装置によれば、光源を収容ケースに収容すると共に、状態制御手段が行う緊急制御が、遮断手段により収容ケース内への空気の流入を遮断する制御を含むようにしたので、光源の破片が収容ケースの外に飛散することを防止することができ、従って、光源の破片が光源装置外部に飛散することをより確実に防止することができるという効果を奏する。また、光源の破片が収容ケースの内部にとどまるため、光源の破片が光源装置内で散乱することも防止されるという効果も奏する。
【図面の簡単な説明】
【図１】本発明の第１の実施の形態に係る液晶プロジェクタの回路構成を表すブロック図である。
【図２】本発明の第１の実施の形態に係る液晶プロジェクタの概略構成を表す図である。
【図３】本発明の第１の実施の形態に係る液晶プロジェクタにおける光源を拡大して表す断面図である。
【図４】本発明の第２の実施の形態に係る液晶プロジェクタの回路構成を表すブロック図である。
【図５】本発明の第２の実施の形態に係る液晶プロジェクタのシャッタ装置の要部を表す斜視図である。
【図６】本発明の第３の実施の形態に係る液晶プロジェクタのシャッタ装置を表す断面図である。
【図７】本発明の第４の実施の形態に係る液晶プロジェクタの回路構成を表すブロック図である。
【図８】本発明の第５の実施の形態に係る液晶プロジェクタを表す断面図である。
【図９】図８の液晶プロジェクタの光源ユニットを表す斜視図である。
【符号の説明】
１，１００…液晶プロジェクタ、１０，１１０…装置筐体、１１，１１１…熱排気窓、２…光源、２０…ランプ、２１…リフレクタ、３…光学系、３１１…投影レンズ、４…液晶表示装置、４０〜４２…液晶表示パネル、５０…電源スイッチ、５１…電源スイッチ回路、５２…制御回路、５３…電源回路、５２１…冷却ファン制御回路、５２０…光源制御回路、６０、６１…破損検出回路、６０ａ…導電性ワイヤ、６０ｂ、６１ｂ…検出回路、６１ａ…マイク、６２…冷却ファン制動回路、７…冷却ファン、８…シャッタ装置、８１…熱排気ダクト、８２…ダクト開閉扉、８３…ダクト開閉機構、８３１…弾性体、８３２…フック部、８３３…プランジャ、８６…集塵フィルタ、１００…液晶プロジェクタ、２００…光源ユニット、２０１…収容ケース、２０２…取入口、２０３…排出口、２１０…可動蓋、２１５…プランジャ、２２０…開閉駆動部。
【図１】
0004505696.tif 000002
【図２】
0004505696.tif 000003
【図３】
0004505696.tif 000004
【図４】
0004505696.tif 000005
【図５】
0004505696.tif 000006
【図６】
0004505696.tif 000007
【図７】
0004505696.tif 000008
【図８】
0004505696.tif 000009
【図９】
0004505696.tif 000010